(57)【要約】【課題】歴史情報データベースに地球の緯度・経度からなる正確な地図情報を付加し、地域・時代を指定することにより歴史事象情報を年代順に総覧することのできる地図情報付き歴史事象情報の表示システムおよび表示方法を提供する。【解決手段】歴史事象に関する電子データをコンピュータ処理するシステムが、歴時歴史事象に関する電子情報に、当該事象が発生した場所に関する電子化された地図情報をコンピュータ端末により付加する入力付加手段と、コンピュータが地図情報付き歴史事象情報をサーバに蓄積する蓄積手段と、コンピュータが年代別に蓄積されている歴史事象情報の中から特定の情報を付加されている地図情報によりそれぞれ指示された表示場所に集積する集積処理手段と、集積された情報を指示された出力方法により画面等に表示する出力手段とからなる【選択図】    図１
2004191761.tif 000002
【特許請求の範囲】
【請求項１】
歴史事象に関する電子データをコンピュータで編集処理して出力手段で表示するコンピュータ処理システムが、
歴時歴史事象に関する電子情報に、当該事象が発生した場所に関する電子化された地図情報をコンピュータ端末により付加する入力付加手段と、
コンピュータが地図情報付き歴史事象情報をサーバに蓄積する蓄積手段と、
コンピュータが年代別に蓄積されている歴史事象情報の中から指示された特定の情報を選択し、付加されている地図情報によりそれぞれ指示された表示場所に集積する集積処理手段と、
集積された情報を指示された出力方法により画面等に表示する出力手段と
からなることを特徴とする地図情報付き歴史事象情報の表示システム
【請求項２】
前記電子化された地図情報は、地球の緯度及び経度からなることを特徴とする請求項１記載の地図情報付き歴史事象情報の表示システム
【請求項３】
歴史事象に関する電子データに地図情報を付加する表示方法において、
歴史事象に関する電子情報に、当該事象が発生した場所に関する電子化された地球の緯度及び経度からなる地図情報をコンピュータ端末により付加する工程と、
コンピュータが地図情報付き歴史事象情報をサーバに蓄積する工程と、
コンピュータが年代別に蓄積されている歴史事象情報の中から指定された特定の情報を選択し、付加されている地図情報によりそれぞれ指示された表示場所に集積処理する工程と、
集積された情報を指示された出力方法により画面等に表示する出力工程と
からなることを特徴とする地図情報付き歴史事象情報の表示方法
【請求項４】
地球の緯度と経度をそれぞれコンピュータ出力画面の縦軸と横軸に、また、年代をコンピュータ出力画面の奥行きとした３次元空間をコンピュータ出力画面に表示することを特徴とする地図情報付き歴史事象情報の表示方法
【発明の詳細な説明】
【０００１】
【発明の属する技術分野】
本発明は、電子情報化された歴史事象データの活用方法に関し、特に、歴史情報データベースに地図情報を付加して歴史事象の情報を任意の場所または時代を指定することにより該当地域の歴史を年代別に順次総覧したり、同時代の他地域の歴史を参照することの出来る地図情報付き歴史事象情報の表示システムおよび表示方法に関する。
【０００２】
【従来の技術】
【特許文献１】特開２０００−９９７６６号公報
【０００３】
広辞苑等の大辞書やエンサイクロペディア（百科辞典）等の情報量の多いものはデータを電子化する作業が進んでおり、既に電子データとして検索表示することが出来るシステムが構築されている。歴史事象に関するデータも事象数が多いことから、電子データ化が進んでいる。また、電子データの表示方法も工夫されている。ただし、歴史事象に関する情報にあっては、西洋と東洋のように地球を適宜の地域に分割してそれぞれの歴史としていることが多い。典型的には、日本の歴史と世界の歴史を分離して表示しているのがその顕著な例である。郷土史についても周辺地方の歴史と個別町村の歴史は分割している。
一方、別の視点から、教育の進行過程によって、中学の歴史とか高校世界史のような分割も行われている。上記のような分割方法に従って各教育課程によって同一の歴史事象をそれぞれの教育の進度や程度に合わせた内容とした教材の提供が必要となっている。
【０００４】
歴史事象を地域に分割しているためにその地域においてその事象だけが孤立して起こったように認識されていて他の歴史事象との関連が希薄で理解できないことが多かった。これは歴史全体の理解を遅らせている原因ともなっている。
日本の歴史は他の世界の歴史とは孤立していたので他の世界の歴史との関連をつねに視野に入れて置かなければならない事情になかった結果とも考えられる。その点、戦乱によって国境が激しく変化していたヨーロッパ等の国々とは歴史事象に対する捉え方に違いがあると考えられる。
日本の歴史も世界の歴史の一部であると認識する必要がある。
卑弥呼の魏志倭人伝が中国の三国（魏呉蜀）時代との同時代であることは、日本の歴史と世界の歴史を学んだ後で両者を対比してみて初めて発見する事柄であり、このような視点が今後は不可欠である。
【０００５】
歴史の事象を他の歴史事象と関連付けて把握できるデータの出現が待ち望まれていた。日本の歴史と世界の歴史を対照させる試みは行われているが、作業が大変であり、常に世界史が付加されているという状態ではなかった。第二次世界大戦の時点でさえ、ロシアの極東における戦いとヨーロッパ戦線とが正確に把握されて教育されていないのが実情である。
また、歴史的な事象が特別に起こらない地域についても歴史は欠落しているものではない。たとえば歴史が止まっているような地域を対象にした地域の歴史または個人史についても作成が困難であった。
【０００６】
上記の欠点を勘案して、歴史事象を正確な地図データに載せるものがあったが、正確でなかった単に地方を付加しただけの情報で、詳細な地理的情報ではなかった。
従来からのデータでは概ね何処で起きた事象であるかが地域または国名を付加して表示されていた。しかし、現在の国名との間にギャップがあり、どのあたりであるか判然としないことも多かった。ペルシャ帝国でも元でもオスマントルコでもビザンチン帝国でも年代によってその領土は変化していたので正確には判然としていない。従って、歴史事象の発生の場所の概略は判っても、正確ではなかった。却って全ての事象が首都のコンスタンチノーブルで起こったような錯覚を起こす結果にもなっていた。
【０００７】
【発明が解決しようとする課題】上記問題を解決するために、歴史情報データベースに地球の緯度・経度からなる正確な地図情報を付加し、任意の場所または時代を指定することにより該当地域の歴史事象の情報を指定する年代別に順次総覧することのできる地図情報付き歴史事象情報の表示システムおよび表示方法を提供することを目的とする。
【０００８】
【課題を解決するための手段】上記課題を達成するために本発明に係る地図情報付き歴史事象情報の表示システムおよび表示方法は、歴史事象に関する電子データをコンピュータで編集処理して出力手段で表示するコンピュータ処理システムが、歴時歴史事象に関する電子情報に、当該事象が発生した場所に関する電子化された地図情報をコンピュータ端末により付加する入力付加手段と、コンピュータが地図情報付き歴史事象情報をサーバに蓄積する蓄積手段と、コンピュータが年代別に蓄積されている歴史事象情報の中から指示された特定の情報を選択し付加されている地図情報によりそれぞれ指示された表示場所に集積する集積処理手段と、集積された情報を指示された出力方法により画面等に表示する出力手段とからなる構成である。
また、電子化された地図情報は、地球の緯度及び経度からなる構成である。
【０００９】
さらに、歴史事象に地図情報を付加する表示方法が、歴史事象に関する電子情報に、当該事象が発生した場所に関する電子化された地球の緯度及び経度からなる地図情報をコンピュータ端末により付加する工程と、コンピュータが地図情報付き歴史事象情報をサーバに蓄積する工程と、コンピュータが年代別に蓄積されている歴史事象情報の中から指定された特定の情報を選択し、付加されている地図情報によりそれぞれ指示された表示場所に集積処理する工程と、集積された情報を指示された出力方法により画面等に表示する出力工程とからなる構成である。
【００１０】
また、地球の緯度と経度をそれぞれコンピュータ出力画面の縦軸と横軸に、また、年代をコンピュータ出力画面の奥行きとした３次元空間をコンピュータ出力画面に表示する構成である。
【００１１】
【作用】本発明に係る地図情報付き歴史事象情報の表示システムおよび表示方法は、歴史事象に関する電子情報に、当該事象が発生した場所を緯度と経度で正確に地図情報として付加しているので事後の集積または表示処理が極めて正確である。
コンピュータに選択する場所を入力すると、コンピュータが蓄積データから当該場所または指定範囲を含めた歴史事象を選択集積して、指示された出力方法により画面等に表示する。特に、画面表示は、経度と緯度をコンピュータ出力画面の縦軸と横軸に、年代を奥行きとした３次元空間をコンピュータ出力画面に表示しているので、視覚的に極めて明瞭であり、関連する歴史事象がどの順番で、どの程度離れた地域で発生しているかが明確に把握できる。
【００１２】
【発明の実施の形態】
以下に本発明を図面に示す実施例にしたがって詳細に説明する。図１は本発明に係る地図情報付き歴史事象情報の表示システムの構成図、図２は出力画面の正面図である。図３は本発明にかかる地図情報付き歴史事象情報の表示方法のフローチャートである。
本発明の地図情報付き歴史事象情報の表示システム１０は、入力付加手段２０と、蓄積手段３０と、集積処理手段４０と、出力手段５０とからなり、出力画面５５は横軸Ｘと縦軸Ｙと奥行Ｚの３次元表示となっている。
利用者のコンピュータとサーバとが同一場所に存在しない場合は、上記の各手段が必要となるが、利用者が自己のコンピュータ内でデータを蓄積してスタンドアロン型で使用する場合は、上記の蓄積手段３０、集積処理手段４０、出力手段５０は利用者の使用するローカルのコンピュータ内に装備される形式となる。
【０００１３】
また、地図情報付き歴史事象情報の表示方法１１０は、入力付加工程１２０と、蓄積工程１３０と、集積処理工程１４０と、出力工程１５０とからなる。これらの工程も利用者のコンピュータとサーバとが同一場所に存在しない場合は、蓄積工程１３０、集積処理工程１４０、出力工程１５０は、ローカルコンピュータの中で処理される。
【００１４】
歴史事象情報の表示システム１０は、歴史事象に関する電子データをコンピュータで編集処理して出力手段で表示するコンピュータ処理システムである。従来の電子データでは歴史事象が利用者の指示によって、時代分けまたは、地域分けして年代順に並んで表示される方式であった。最近は特定の地域に限定した歴史事象に他の地域の歴史事象を参照のように付加することが行われており、それらの事象が同時に発生したことを理解させる工夫がされている。
【００１５】
入力付加手段２０は、既に存在する加工可能な歴時歴史事象に関する電子データに地図情報を入力する手段であり、コンピュータの端末から電子データを追加入力する。
ここで地図情報とは、地球の緯度及び経度からなる情報であるが、経度緯度に替えて国名又は大陸名又は大雑把な地区名称であっても良い。ただし当該国名等については適宜な経度緯度を同時に付加してデータの補完をすることにより、本発明の地図情報として使用することができる。入力に使用する国名は現在の国名（例えばイラン）であっても過去の国名（ペルシャ）であっても良い。また、首都の移動によって同じ国名に与えられる緯度経度が変更になることも考えられる。
【００１６】
原則的には緯度経度であれば歴時歴史事象が発生した正確な場所に関するデータとなるので、発生場所の特定ができる事象については地球の緯度経度で表示する。緯度経度が明確でない事象については、その周辺の特定の地域を指定して付加する。たとえばペルシャであれば中心地のイスファハンの緯度経度を一応の目安として発生場所の不明な関連する全て歴史事象に付加することが可能である。
また、歴史事象に場所的な移動がある場合は、一箇所の経度緯度に限らず複数の地図情報を付加することも可能である。
【００１７】
蓄積手段３０は、コンピュータが地図情報付き歴史事象情報をコンピュータに蓄積する手段であり、コンピュータのサーバの記憶装置に電子データとして蓄積される。
前述の通り、利用者のコンピュータとサーバとが同一場所に存在しない場合は、蓄積手段３０は利用者のコンピュータ内に装備されている記憶装置を利用する事となる。同様に、後述する集積処理手段４０、出力手段５０の各手段は利用者の使用するローカルのコンピュータ内に装備される形式となる。
【００１８】
集積処理手段４０は、コンピュータが指定されたデータを検索集合する手段である。検索者の指示により、コンピュータが年代別に蓄積されている歴史事象情報の中から指示された特定の情報を検索選択する。さらに、選択された歴史事象に付加されている地図情報によりそれぞれ指示された表示場所に出力態勢で集積される。
【００１９】、
出力手段５０は、集積された選択情報の表示手段であり、指示された出力方法によりコンピュータのＣＲＴ画面や液晶画面に表示する。
出力画面５５は、二次元画面であっても良いが、本発明では、横軸Ｘと縦軸Ｙと奥行Ｚの三次元表示を採用して視覚的に明確に歴史事象を理解できるように表示している。
本発明によれば、例えば、鎌倉時代の元寇の時に、ヨーロッパはどのような状況にあったのが明確に理解出来る。また、元の中央アジアにおける支配征服の状況や、朝鮮の戦略的立場も理解できるので、単に鎌倉幕府と元の戦いという日本史の一面的な理解に加えて、世界的視野に立った元寇の意義が理解出来る。
この事は、単に平安時代に中国はどのような政治体制や文化であったかをその都度確認するだけに利用することもできる。
【００２０】
次に、地図情報付き歴史事象情報の表示方法１１０は、入力付加工程１２０と、蓄積工程１３０と、集積処理工程１４０と、出力工程１５０とからなり、地図情報の付加された歴史情報はコンピュータの記憶装置に蓄積され、検索の指示に従って、コンピュータが検索集積処理を行い、指示に従って適宜の出力方法で出力される。
【００２１】
入力付加工程１２０は、歴史事象に関する電子情報に当該事象が発生した場所に関する電子化された地図情報を付加する工程であり、コンピュータ端末により入力する。
【００２２】
蓄積工程１３０は、コンピュータが地図情報付き歴史事象情報をコンピュータに蓄積する工程であり、コンピュータの記憶装置であるサーバに電子データとして記憶させる。
前述と同様に、利用者のコンピュータとサーバとが同一場所に存在しない場合は、蓄積工程１３０は利用者のコンピュータ内に装備されている記憶装置に記憶させる工程となり、後述する集積処理工程１４０と出力工程１５０の各工程も利用者の使用するローカルのコンピュータ内で処理装備される。
【００２３】
集積処理工程１４０は、コンピュータが年代別に蓄積されている歴史事象情報の中から指示により特定の情報を検索して、付加されている地図情報によりそれぞれ指示された表示場所に出力できるように集積処理する工程である。
【００２４】
出力工程１５０は、集積された情報を指示された出力方法により画面等に表示する出力工程である。
出力方法は、平面的な、年表のような二次元画面であっても良いが、より立体的な感覚を付加した三次元の画面構成とすることも可能である。
そこで、本発明では、地球の緯度と経度をそれぞれコンピュータ出力画面の縦軸と横軸に、また、年代をコンピュータ出力画面の奥行きとした３次元空間を構成し、コンピュータが出力画面に指示通りに表示する。
【００２５】
本発明で処理できる歴史事象は、もちろん古い過去の歴史的事象の整理であるが、近世または現代の歴史も地図情報つきで簡単に整理することが出来る。
例えば第二次世界大戦の戦闘状況や終末におけるヨーロッパの終戦やソ連の参戦と日本の敗戦の関連等についても世界の事象を俯瞰しながらより良い理解を得ることが出来る。
また、各歴史事象に静止画像による詳細な説明を加えることも出来る。また、動画によるアトラクティブな視覚による情報と解説を添付または付加することも可能である。
【００２６】
さらに、現代史であっても、さらに微視的に個人的な歴史に応用することも可能である。現代史に個人の誕生から成人までとさらに現在までの個人史を入力すれば、同時代の世界の歴史が入手出来る事になる。また、自分史に緯度経度を付けて入力するので、個人の誕生からの移動の軌跡が全て明らかにできる。さらに、個人の生活してきた周辺の歴史事象も個人史と並列して作成することも可能である。
【００２７】
【発明の効果】
上記詳述した通り、本発明にかかる地図情報付き歴史事象情報の表示システムおよび表示方法は上記のような構成であるので、以下のような効果を奏する。
１.歴史事象に地図情報が付加されて検索可能な状態にあるので何時でも教育程度に合わせた教材として取り出して利用することが出来る。歴史情報に関する電子データを指示によりコンピュータが自動で編集処理するので、簡便に必要な時代の必要な地域の歴史を漏れなく確実にかつ簡易で安価に入手可能である。また、出力手段としてハードコピーだけで無くコンピュータの出力画面を利用した視覚的データとして入手することが可能である。
２．地図情報が緯度経度からなるので正確であり、ミクロで拡大抽出しても僅かな差を拡大表示することが可能である。
【００２８】
３．歴史事象データに地図情報を付加する表示方法が、入力工程と、蓄積工程と、
集積処理工程と、出力工程とからなる簡便な方法であるので、誰にでも又既存の電子データに地図情報を付加することにより従前の歴史情報データを地図情報の付加された電子データとして利用することができる。
４．コンピュータ出力画面の表示方法が、地球の緯度と経度を縦軸と横軸に、年代を奥行きとした３次元に表示出来るので視覚的な理解が出来、かつ、視覚を伴うデータを簡便に必要な範囲を限定して教材等に利用することができる。
【図面の簡単な説明】
【図１】地図情報付き歴史事象情報の表示システムの構成図
【図２】出力画面の正面図
【図３】本発明にかかる地図情報付き歴史事象情報の表示方法のフローチャート
【符号の説明】
１０      地図情報付き歴史事象情報の表示システム
２０      入力付加手段
３０      蓄積手段
４０      集積処理手段
５０      出力手段
５５      出力画面５５
Ｘ        横軸
Ｙ        縦軸
Ｚ        奥行
１１０    地図情報付き歴史事象情報の表示方法
１２０    入力付加工程
１３０    蓄積工程
１４０    集積処理工程
１５０    出力工程
【図１】
2004191761.tif 000003
【図２】
2004191761.tif 000004
【図３】
2004191761.tif 000005